【手続補正書】
【提出日】平成20年10月15日(2008.10.15)
【手続補正１】
【補正対象書類名】特許請求の範囲
【補正対象項目名】全文
【補正方法】変更
【補正の内容】
【特許請求の範囲】
【請求項１】
映像データから、表示画面上の複数の映像表示部に対して表示させる複数の表示映像データを生成する生成手段と、
上記生成手段により生成された上記表示映像データを、表示順に連携させる時間差を設けて、上記表示画面上に３次元螺旋状に配置して動画として表示させる画像処理手段と
を具える画像処理装置。
【請求項２】
上記画像処理手段は、上記生成手段により生成された複数の上記表示映像データを、上記表示順に連携させる時間差を設けて、上記複数の映像表示部に連動表示させる
請求項１に記載の画像処理装置。
【請求項３】
上記画像処理手段は、上記生成手段により生成された複数の上記表示映像データを、時系列に流れる時間差を設けて、上記複数の映像表示部に連動表示させる
請求項１に記載の画像処理装置。
【請求項４】
上記画像処理手段は、上記生成手段により生成された複数の上記表示映像データを、上記表示順に連携させる時間差を設けて、上記複数の映像表示部が表示順に連携した螺旋映像表示部群として、上記複数の映像表示部に連動表示させる
請求項１に記載の画像処理装置。
【請求項５】
上記画像処理手段は、上記螺旋映像表示部群に含まれる上記複数の映像表示部のうち表示基準となる基準映像表示部に表示される基準表示映像データを、上記複数の表示映像データのなかで最も大きくなるように表示させる
請求項４に記載の画像処理装置。
【請求項６】
上記画像処理手段は、上記基準表示映像データを除いた上記複数の表示映像データを、上記基準映像表示部から上記３次元螺旋状上の距離が離れるに連れて表示サイズを徐々に小さくするように表示させる
請求項５に記載の画像処理装置。
【請求項７】
上記画像処理手段は、上記基準表示映像データを上記螺旋映像表示部群の最も手前側に位置するように表示させる
請求項５に記載の画像処理装置。
【請求項８】
上記画像処理手段は、上記基準表示映像データを除いた上記複数の表示映像データを、上記基準映像表示部から上記３次元螺旋状上の距離が離れるに連れて解像度を下げるように表示させる
請求項５に記載の画像処理装置。
【請求項９】
上記画像処理手段は、上記基準表示映像データを除いた上記複数の表示映像データを、上記基準映像表示部から上記３次元螺旋状上の距離が離れるにつれて、上記複数の映像表示部における配置間隔を狭めて表示させる
請求項５に記載の画像処理装置。
【請求項１０】
上記画像処理手段は、上記螺旋映像表示部群における上記複数の表示映像データを時系列に流す速度に応じて、上記複数の映像表示部の表示角度を変更して表示させる
請求項５に記載の画像処理装置。
【請求項１１】
上記複数の表示映像データを上記表示画面上でオペレータが目視確認する際の確認位置を示す確認位置情報を生成する確認位置情報生成手段を更に有し、
上記画像処理手段は、上記複数の表示映像データを、上記確認位置情報生成手段により生成された上記確認位置情報に応じて配置することにより上記表示画面上に表示させる
請求項１に記載の画像処理装置。
【請求項１２】
上記確認位置情報生成手段は、上記確認位置を移動させるための確認位置移動操作が行われた際、上記表示画面上で３次元螺旋状に配置された上記複数の映像表示部における基準位置に対して、上記確認位置情報を上記確認位置操作入力に応じて変更し、
上記画像処理手段は、上記複数の表示映像データを、上記確認位置情報生成手段により変更された上記確認位置情報に応じて再配置することにより上記表示画面上に表示させる
請求項１１に記載の画像処理装置。
【請求項１３】
上記確認位置移動操作は、上記表示画面上に設けられた３次元仮想空間において、上記３次元螺旋状に配置された上記複数の映像表示部を上記基準位置から拡大又は縮小させる操作である
請求項１２に記載の画像処理装置。
【請求項１４】
上記確認位置移動操作は、上記表示画面上に設けられた３次元仮想空間において、上記３次元螺旋状に配置された上記複数の映像表示部を回転させる操作である
請求項１２に記載の画像処理装置。
【請求項１５】
上記確認位置移動操作は、上記表示画面上に設けられた３次元空間において、上記３次元螺旋状に配置された上記複数の映像表示部における基準軸に対して未来方向又は過去方向へ移動させる操作である
請求項１２に記載の画像処理装置。
【請求項１６】
上記複数の映像表示部に対応する上記複数の表示映像データを上記表示画面上でオペレータが目視確認する際の上記表示画面上の確認位置を示す確認位置情報を生成する確認位置情報生成手段を更に有し、
上記画像処理手段は、上記確認位置情報生成手段により生成された上記確認位置情報を、所定の確認位置アイコンとして上記表示画面上に表示させる
請求項１に記載の画像処理装置。
【請求項１７】
上記確認位置情報生成手段は、上記確認位置を移動させる確認位置移動操作が行われた際、上記表示画面上で３次元螺旋状に配置された上記複数の映像表示部における基準位置に対して、上記確認位置情報を上記確認位置操作入力に応じて変更し、
上記画像処理手段は、上記確認位置情報生成手段により変更された上記確認位置情報に対応する位置に対して、所定の確認位置アイコンとして上記表示画面上に表示させる
請求項１６に記載の画像処理装置。
【請求項１８】
映像データから、表示画面上の複数の映像表示部に対して表示させる複数の表示映像データを生成手段により生成する生成ステップと、
上記生成ステップで生成された上記表示映像データを、画像処理手段により、表示順に連携させる時間差を設けて、上記表示画面上に３次元螺旋状に配置して動画として表示させる画像処理ステップと
を有する画像処理方法。
【請求項１９】
コンピュータに対し、
映像データから、表示画面上の複数の映像表示部に対して表示させる複数の表示映像データを生成する生成ステップと、
上記生成ステップで生成された上記表示映像データを、表示順に連携させる時間差を設けて、上記表示画面上に３次元螺旋状に配置して動画として表示させる画像処理ステップと
を実行させるための画像処理プログラム。
【請求項２０】
コンピュータに、
映像データから、表示画面上の複数の映像表示部に対して表示させる複数の表示映像データを生成する生成ステップと、
上記生成ステップで生成された上記表示映像データを、表示順に連携させる時間差を設けて、上記表示画面上に３次元螺旋状に配置して動画として表示させる画像処理ステップと
を実行させるための画像処理プログラムを記録したコンピュータ読み取り可能なプログラム格納媒体。
【手続補正２】
【補正対象書類名】明細書
【補正対象項目名】００１８
【補正方法】変更
【補正の内容】
【００１８】
かかる課題を解決するため本発明の画像処理装置、画像処理方法及び画像処理プログラムにおいては、映像データから、表示画面上の複数の映像表示部に対して表示させる複数の表示映像データを生成し、表示映像データを、表示順に連携させる時間差を設けて、表示画面上に３次元螺旋状に配置して動画として表示させるようにした。
【手続補正３】
【補正対象書類名】明細書
【補正対象項目名】００１９
【補正方法】変更
【補正の内容】
【００１９】
これにより、複数の表示映像データに対する表示順に連携させる時間差を設けて、３次元螺旋状に配置して動画として表示させることになるため、一度の画面表示の中であっても３次元螺旋構造ゆえに一段と多くの複数の表示映像データを提示し得、かつ３次元螺旋状の表示形態による動画像によって瞬間瞬間で異なるシーンの表示映像データを目視確認させることができるので、時系列の流れをオペレータに対して直感的に認識させながら、表示映像データに基づく一連の映像の中からオペレータ所望の映像部分を容易に探索させて画探し作業や編集作業を容易化させることができる。
【手続補正４】
【補正対象書類名】明細書
【補正対象項目名】００２０
【補正方法】変更
【補正の内容】
【００２０】
さらに本発明のプログラム格納媒体においては、コンピュータに、映像データから、表示画面上の複数の映像表示部に対して表示させる複数の表示映像データを生成する生成ステップと、当該生成ステップで生成された表示映像データを、表示順に連携させる時間差を設けて、表示画面上に３次元螺旋状に配置して動画として表示させる画像処理ステップとを実行させるための画像処理プログラムを記録するようにした。
【手続補正５】
【補正対象書類名】明細書
【補正対象項目名】００２１
【補正方法】変更
【補正の内容】
【００２１】
この結果、このプログラム格納媒体によれば、複数の表示映像データに対する表示順に連携させる時間差を設けて、３次元螺旋状に配置して動画として表示させることになるため、一度の画面表示の中であっても３次元螺旋構造ゆえに一段と多くの複数の表示映像データを提示し得、かつ３次元螺旋状の表示形態による動画像によって瞬間瞬間で異なるシーンの表示映像データを目視確認させることができるので、時系列の流れをオペレータに対して直感的に認識させながら、表示映像データに基づく一連の映像の中からオペレータ所望の映像部分を容易に探索させて画探し作業や編集作業を容易化させることができる。
【手続補正６】
【補正対象書類名】明細書
【補正対象項目名】００２２
【補正方法】変更
【補正の内容】
【００２２】
本発明によれば、複数の表示映像データに対する表示順に連携させる時間差を設けて、３次元螺旋状に配置して動画として表示させることになるため、一度の画面表示の中であっても３次元螺旋構造ゆえに一段と多くの複数の表示映像データを提示し得、かつ３次元螺旋状の表示形態による動画像によって瞬間瞬間で異なるシーンの表示映像データを目視確認させることができるので、時系列の流れをオペレータに対して直感的に認識させながら、表示映像データに基づく一連の映像の中からオペレータ所望の映像部分を容易に探索させて画探し作業や編集作業を容易化させ得る画像処理装置、画像処理方法、画像処理プログラム及びプログラム格納媒体を実現することができる。